(57)【要約】【課題】携帯電話を携帯収容部に簡単に収容できると共に、携帯電話を立設状に保持でき、机やテーブル等の上を機能的に利用でき、基板の折曲げ状態がコンパクトとなり、メモ用紙積重体を確実に保護でき、構成簡素で、量産に適し、低廉で、経済的な携帯電話スタンド付デスクメモを提供する。【解決手段】メモ用紙積重体Ｂと、メモ用紙積重体Ｂの基端部分をその一部に接着すると共に、メモ用紙積重体Ｂを覆うように折曲げ可能な略細長帯状の基板Ａとからなり、基板Ａは、メモ用紙積重体Ｂの基端がわに、その一部で適宜立上り部が組立て形成できるように構成し、立上り部には、携帯収容部１７を設け、携帯収容部１７で携帯電話等を立設状に保持できるよう構成する。【選択図】図１
0003123755.tif 000002
【実用新案登録請求の範囲】
【請求項１】
複数のメモ用紙の基端縁部分を分離可能に纏めたメモ用紙積重体と、このメモ用紙積重体の基端部分がその一部に接着されると共に、メモ用紙積重体を覆うように折曲げ可能な略細長帯状の基板とからなり、この基板は、メモ用紙積重体の基端がわに、その一部で適宜立上り部が組立て形成できるように構成され、この立上り部には、携帯収容部を設け、この携帯収容部で携帯電話等を立設状に保持できるよう構成したことを特徴とする携帯電話スタンド付デスクメモ。
【請求項２】
複数のメモ用紙の基端縁部分を分離可能に纏めたメモ用紙積重体と、このメモ用紙積重体の基端部分がその一部に接着されると共に、メモ用紙積重体を覆うように折曲げ可能な略細長帯状の基板とからなり、この基板は、メモ用紙積重体の下部に配される底板と、この底板に折目線を介して連設されると共にメモ用紙積重体の基端部分が接着されるメモ用紙接着板と、このメモ用紙接着板に折目線を介して連設される立上り前板と、この立上り前板に折目線を介して連設される立上り天板と、この立上り天板に折目線を介して連設される立上り後板と、この立上り後板に折目線を介して連設される底板兼用前板と、この底板兼用前板に折目線を介して連設される折返し板とを有し、少なくとも前記立上り天板に適宜切込線を設けると共に、立上り前板と立上り天板と立上り後板とで、適宜立上り部を組立て形成できるように構成し、立上り部の組立てと同時に、前記切込線部分に携帯収容部が設けられるように形成し、この携帯収容部で携帯電話等を立設状に保持できるよう構成したことを特徴とする携帯電話スタンド付デスクメモ。
【考案の詳細な説明】
【技術分野】
【０００１】
本考案は、例えば、携帯電話等を立設状に保持することが可能となる携帯電話スタンド付デスクメモに関するものである。
【背景技術】
【０００２】
従来、この種のデスクメモとしては、種々のものが提供されており、例えば、特許文献１のようなカレンダー機能を付加したデスクメモが本願出願人によって提案されている。
【０００３】
【特許文献１】実用新案登録第３０３９４４２号公報
【考案の開示】
【考案が解決しようとする課題】
【０００４】
そして、前述のようなカレンダー機能を付加したデスクメモによって、机やテーブル等の上を機能的に利用できるようになったが、本願出願人は、これに満足することなく、その他の機能を付加したデスクメモを構成簡素に提供できるようにすべく開発を継続していたものである。
【課題を解決するための手段】
【０００５】
しかして、前述の如き課題等を達成すべく、請求項１記載の携帯電話スタンド付デスクメモにあっては、複数のメモ用紙の基端縁部分を分離可能に纏めたメモ用紙積重体Ｂと、このメモ用紙積重体Ｂの基端部分がその一部に接着されると共に、メモ用紙積重体Ｂを覆うように折曲げ可能な略細長帯状の基板Ａとからなり、この基板Ａは、メモ用紙積重体Ｂの基端がわに、その一部で適宜立上り部が組立て形成できるように構成され、この立上り部には、携帯収容部１７を設け、この携帯収容部１７で携帯電話等を立設状に保持できるよう構成する手段を採用した。
【０００６】
また、請求項２記載の携帯電話スタンド付デスクメモにあっては、複数のメモ用紙の基端縁部分を分離可能に纏めたメモ用紙積重体Ｂと、このメモ用紙積重体Ｂの基端部分がその一部に接着されると共に、メモ用紙積重体Ｂを覆うように折曲げ可能な略細長帯状の基板Ａとからなり、この基板Ａは、メモ用紙積重体Ｂの下部に配される底板１と、この底板１に折目線を介して連設されると共にメモ用紙積重体Ｂの基端部分が接着されるメモ用紙接着板２と、このメモ用紙接着板２に折目線を介して連設される立上り前板３と、この立上り前板３に折目線を介して連設される立上り天板４と、この立上り天板４に折目線を介して連設される立上り後板５と、この立上り後板５に折目線を介して連設される底板兼用前板６と、この底板兼用前板６に折目線を介して連設される折返し板７とを有し、少なくとも前記立上り天板４に適宜切込線１５を設けると共に、立上り前板３と立上り天板４と立上り後板５とで、適宜立上り部を組立て形成できるように構成し、立上り部の組立てと同時に、前記切込線１５部分に携帯収容部１７が設けられるように形成し、この携帯収容部１７で携帯電話等を立設状に保持できるよう構成する手段を採用した。
【考案の効果】
【０００７】
従って、本考案の請求項１記載の携帯電話スタンド付デスクメモによれば、携帯電話を携帯収容部１７に簡単に収容させることができるようになると共に、携帯電話を立設状に保持できるようになり、机やテーブル等の上を機能的に利用できる携帯電話スタンド付デスクメモとなる。
しかも、構成が簡素で、量産に適し、低廉で、経済的な携帯電話スタンド付デスクメモを提供できるようになる。
【０００８】
更に、基板Ａは、メモ用紙積重体Ｂを覆うように折曲げ可能な略細長帯状に形成されているので、基板Ａの折曲げ状態がコンパクトとなると共に、メモ用紙積重体Ｂを確実に保護できるようになる。
【０００９】
また、請求項２記載の携帯電話スタンド付デスクメモによれば、携帯電話を携帯収容部１７に簡単に収容させることができるようになると共に、携帯電話を立設状に保持できるようになり、机やテーブル等の上を機能的に利用できる携帯電話スタンド付デスクメモとなる。
しかも、構成が簡素で、量産に適し、低廉で、経済的な携帯電話スタンド付デスクメモを提供できるようになる。
【００１０】
特に、基板Ａは、メモ用紙積重体Ｂの下部に配される底板１と、この底板１に折目線を介して連設されると共にメモ用紙積重体Ｂの基端部分が接着されるメモ用紙接着板２と、このメモ用紙接着板２に折目線を介して連設される立上り前板３と、この立上り前板３に折目線を介して連設される立上り天板４と、この立上り天板４に折目線を介して連設される立上り後板５と、この立上り後板５に折目線を介して連設される底板兼用前板６と、この底板兼用前板６に折目線を介して連設される折返し板７とを有し、少なくとも前記立上り天板４に適宜切込線１５を設けると共に、立上り前板３と立上り天板４と立上り後板５とで、適宜立上り部を組立て形成できるように構成し、立上り部の組立てと同時に、前記切込線１５部分に携帯収容部１７が設けられるように形成し、この携帯収容部１７で携帯電話等を立設状に保持できるよう構成したので、携帯収容部１７を比較的堅牢に構成できるようになり、携帯電話をより安定的に保持できるようになる。
【００１１】
更に、基板Ａは、メモ用紙積重体Ｂを覆うように折曲げ可能な略細長帯状に形成されているので、基板Ａの折曲げ状態がコンパクトとなると共に、メモ用紙積重体Ｂを確実に保護できるようになる。
【考案を実施するための最良の形態】
【００１２】
以下、本考案を説明すると、次の通りである。
本考案は、主に、机やテーブル等の上に置かれて使用される携帯電話スタンド付デスクメモであって、複数のメモ用紙の基端縁部分を分離可能に纏めたメモ用紙積重体Ｂと、このメモ用紙積重体Ｂの基端部分がその一部に接着されると共に、メモ用紙積重体Ｂを覆うように折曲げ可能な略細長帯状の基板Ａとからなるものである。
そして、この基板Ａは、メモ用紙積重体Ｂの基端がわに、その一部で適宜立上り部が組立て形成できるように構成され、この立上り部には、携帯収容部１７を設け、この携帯収容部１７で携帯電話等を立設状に保持できるよう構成されたものである。
【００１３】
更に、基板Ａは、メモ用紙積重体Ｂの下部に配される底板１と、この底板１に折目線を介して連設されると共にメモ用紙積重体Ｂの基端部分が接着されるメモ用紙接着板２と、このメモ用紙接着板２に折目線を介して連設される立上り前板３と、この立上り前板３に折目線を介して連設される立上り天板４と、この立上り天板４に折目線を介して連設される立上り後板５と、この立上り後板５に折目線を介して連設される底板兼用前板６と、この底板兼用前板６に折目線を介して連設される折返し板７とを有するものである。
加えて、少なくとも前記立上り天板４に適宜切込線１５を設けると共に、立上り前板３と立上り天板４と立上り後板５とで、適宜立上り部を組立て形成できるように構成されている。
しかも、立上り部の組立てと同時に、前記切込線１５部分に携帯収容部１７が設けられるように形成されている。
【実施例】
【００１４】
前記メモ用紙積重体Ｂは、例えば、比較的大きな矩形状のメモ用紙を複数重ねると共に、その基端縁部分を分離可能に接着して形成され、上のメモ用紙から順次分離できるように構成されている。また、このメモ用紙積重体Ｂは、その基端部分が基板Ａのメモ用紙接着板２に接着されるようになる。ところで、メモ用紙積重体Ｂは、メモ用紙の基端がわ裏面に再接着可能な粘着剤を略帯状に塗布し、このメモ用紙複数を積重して形成したものであっても良い。尚、メモ用紙積重体Ｂの具体的構成、形状、寸法、材質、メモ用紙の具体的形状、寸法、材質、数等は、図示例等に限定されることなく、適宜自由に設定、変更できるものである。
【００１５】
前記基板Ａは、例えば、適宜紙材（適宜合成樹脂材や、適宜複合材であっても良い）等によって略細長矩形板状に形成されており、机やテーブル等の上に安定的に載置でき、しかも、邪魔にならない程度の大きさに形成されている。尚、基板Ａの具体的構成、形状、寸法、材質等は、図示例等に限定されることなく、適宜自由に設定、変更できるものである。
【００１６】
そして、基板Ａの底板１は、例えば、矩形板状を呈し、メモ用紙積重体Ｂに重なるように形成されている。尚、底板１の具体的構成、形状、寸法、材質等は、図示例等に限定されることなく、適宜自由に設定、変更できるものである。
【００１７】
基板Ａのメモ用紙接着板２は、例えば、細長矩形板状を呈し、底板１の一端縁に折目線を介して折曲げ自在に連設されている。しかも、メモ用紙接着板２は、メモ用紙積重体Ｂの基端縁部分に重なるように形成され、適宜接着手段を介してメモ用紙積重体Ｂの基端縁部分が剥離可能に接着される。尚、メモ用紙接着板２の具体的構成、形状、寸法、材質等は、図示例等に限定されることなく、適宜自由に設定、変更できるものである。
【００１８】
基板Ａの立上り前板３は、例えば、細長矩形板状を呈し、メモ用紙接着板２の一端縁に折目線を介して折曲げ自在に連設されている。尚、立上り前板３の具体的構成、形状、寸法、材質等は、図示例等に限定されることなく、適宜自由に設定、変更できるものである。
【００１９】
基板Ａの立上り天板４は、例えば、細長矩形板状を呈し、立上り前板３の一端縁左右部分（背板１６部分に折目線が入らないよう）に折目線を介して折曲げ自在に連設されている。尚、立上り天板４の具体的構成、形状、寸法、材質等は、図示例等に限定されることなく、適宜自由に設定、変更できるものである。
【００２０】
基板Ａの立上り後板５は、例えば、細長矩形板状を呈し、立上り天板４の一端縁左右部分（背板１６部分に折目線が入らないよう）に折目線を介して折曲げ自在に連設されている。尚、立上り後板５の具体的構成、形状、寸法、材質等は、図示例等に限定されることなく、適宜自由に設定、変更できるものである。
【００２１】
そして、前記立上り前板３と、立上り天板４と、立上り後板５とで側面略台形状の立上り部分が形成される。尚、立上り部の具体的構成、形状、寸法、材質等は、図示例等に限定されることなく、適宜自由に設定、変更できるものである。
【００２２】
基板Ａの底板兼用前板６は、例えば、細長矩形板状を呈し、立上り後板５の一端縁に折目線を介して折曲げ自在に連設されている。しかも、この底板兼用前板６は、基板Ａがメモ用紙積重体Ｂを覆うように折曲げられている時にはメモ用紙積重体Ｂの先端縁部分を覆うようになり、携帯収容部１７が設けられるようになる時には、立上り部分の底部に配されるようになる。尚、底板兼用前板６の具体的構成、形状、寸法、材質等は、図示例等に限定されることなく、適宜自由に設定、変更できるものである。
【００２３】
基板Ａの折返し板７は、例えば、矩形板状を呈し、底板兼用前板６の一端縁に折目線を介して折曲げ自在に連設されている。しかも、この折返し板７は、基板Ａがメモ用紙積重体Ｂを覆うように折曲げられている時には、底板１の他端がわ下面部分を覆うようになり、携帯収容部１７が設けられるようになる時には、底板１の一端がわ下面部分を覆うようになる。このとき、折返し板７の一端縁に設けた差込片１１は、底板１に設けたスリット８に差込まれるようになり、立上り部の組立て状態をより安定的に維持できるように形成されている。
図中１０は、折返し板７の一端縁部分に設けた一対の切込みで、この一対の切込み１０によって差込片１１が形成できるようになっている。尚、折返し板７の具体的構成、形状、寸法、材質、スリット８の具体的構成、形状、寸法、配設位置、切込み１０の具体的構成、形状、寸法、配設位置、差込片１１の具体的構成、形状、寸法、配設位置等は、図示例等に限定されることなく、適宜自由に設定、変更できるものである。
【００２４】
前記立上り部の立上り天板４には、ペン差込部となる略円弧状の切込線９が設けられている。
更に、立上り天板４及び立上り前板３には、略平面扁平Ｕ字状の切込線１５が設けられており、この切込線１５を利用して携帯収容部１７が設けられるように形成されている。尚、切込線９の具体的構成、形状、寸法、配設位置、数、切込線１５の具体的構成、形状、寸法、配設位置、携帯収容部１７の具体的構成、寸法、配設位置等は、図示例等に限定されることなく、適宜自由に設定、変更できるものである。
【００２５】
そして、切込線１５で囲繞された部分は背板１６となり、立上り後板５と一体的に連設されるようになるため（背板１６と立上り後板５との連設部分、及び背板１６自身に折目線が存在しないように形成する）、立上り天板４と立上り後板５の折り目部分で折曲げた時に、背板１６が上方に突出するようになるので、携帯電話をより安定的に支持できるようになる。尚、背板１６の具体的構成、形状、寸法、折目線夫々の具体的構成、形状、寸法、配設位置等は、図示例等に限定されることなく、適宜自由に設定、変更できるものである。
【図面の簡単な説明】
【００２６】
【図１】本考案の携帯電話スタンド付デスクメモを例示する斜視図である。
【図２】本考案の携帯電話スタンド付デスクメモを例示する縦断側面図である。
【図３】本考案の携帯電話スタンド付デスクメモの折畳状態を例示する斜視図である。
【図４】本考案の携帯電話スタンド付デスクメモの折畳状態を例示する縦断側面図である。
【図５】本考案の携帯電話スタンド付デスクメモを例示する分解斜視図である。
【符号の説明】
【００２７】
Ａ      基板
Ｂ      メモ用紙積重体
１      底板
２      メモ用紙接着板
３      立上り前板
４      立上り天板
５      立上り後板
６      底板兼用前板
７      折返し板
８      スリット
９      切込線
１０    切込み
１１    差込片
１５    切込線
１６    背板
１７    携帯収容部
【図１】
0003123755.tif 000003
【図２】
0003123755.tif 000004
【図３】
0003123755.tif 000005
【図４】
0003123755.tif 000006
【図５】
0003123755.tif 000007